(57)【要約】【課題】  訪れるのに適当な観光地を探し出し、その観光地までの経路を容易に知ることができ、利用者が充分に観光を楽しむことが可能となる観光経路案内システムを提供すること。【解決手段】  観光地の位置を示す観光地情報を記憶する記憶手段と、利用者の携帯端末機の現在地を示す現在地情報を受信する現在地情報受信手段と、現在地情報に基づいて、記憶手段に記憶された観光地情報のなかから、現在地との関係が所定の条件を満たす候補地を選択する選択手段と、候補地の観光地情報を、携帯端末機に送信する観光地情報送信手段と、利用者の操作によって、選択された目的地情報を受信する目的地情報受信手段と、目的地情報に応じた観光地情報と現在地情報とに基づいて、現在地から目的地までの経路を決定する経路決定手段と、経路情報を、携帯端末機に送信する経路情報送信手段とを備えた観光経路案内システム。【選択図】    図１
2006292550.tif 000002
【特許請求の範囲】
【請求項１】
少なくとも観光地の位置を示す観光地情報を複数記憶する記憶手段と、
利用者が所持する携帯端末機の現在地を示す現在地情報を、該携帯端末機から受信する現在地情報受信手段と、
前記現在地情報受信手段が受信した現在地情報に基づいて、前記記憶手段に記憶された複数の観光地情報のなかから、前記携帯端末機の現在地との関係が所定の条件を満たす候補地としての観光地を選択する選択手段と、
前記選択手段により選択された観光地の観光地情報を、前記携帯端末機に送信する観光地情報送信手段と、
前記観光地情報送信手段から観光地情報を受信した携帯端末機に対して、利用者の操作によって、該観光地情報が示す候補地としての観光地のなかから、目的地を選択する旨の指示が入力された際に該携帯端末機が送信する目的地情報を、該携帯端末機から受信する目的地情報受信手段と、
前記目的地情報受信手段が目的地情報を受信した際、該目的地情報に応じた観光地情報と前記現在地情報受信手段が受信した現在地情報とに基づいて、現在地から目的地としての観光地までの経路を決定する経路決定手段と、
前記経路決定手段により決定された経路を示す経路情報を、前記携帯端末機に送信する経路情報送信手段と
を備えたことを特徴とする観光経路案内システム。
【請求項２】
前記選択手段は、前記現在地情報受信手段が受信した現在地情報に基づいて、前記記憶手段に記憶された複数の観光地情報のなかから、前記携帯端末機の現在地から所定範囲内にある観光地を選択することを特徴とする請求項１に記載の観光経路案内システム。
【請求項３】
前記観光地情報送信手段から観光地情報を受信した携帯端末機に対して、利用者の操作によって、候補地を変更するための検索条件が入力された際に該携帯端末機が送信する検索条件情報を、該携帯端末機から受信する検索条件情報受信手段を備え、
前記選択手段は、前記携帯端末機から検索条件情報を受信したとき、前記現在地情報受信手段が受信した現在地情報に基づいて、前記記憶手段に記憶された複数の観光地情報のなかから、前記携帯端末機の現在地との関係が前記検索条件を満たす候補地としての観光地を選択することを特徴とする請求項１又は２に記載の観光経路案内システム。
【発明の詳細な説明】
【技術分野】
【０００１】
本発明は、観光経路案内システムに関する。
【背景技術】
【０００２】
従来、インターネットを介して、パーソナルコンピュータの画面上で交通機関の乗り換え案内を提供するサービスがある。利用者は、このようなサービスが提供されているウェブサイトの入力画面で出発地、目的地等を入力して検索することにより、推奨経路、所要料金、所要時間等の情報を目的地へ出発する前に予め知ることができる。
【０００３】
近年では、携帯電話機においてもこのようなサービスを利用することが可能となっている（例えば、特許文献１参照）。特許文献１に記載の携帯用経路探索装置によれば、例えば、移動の途中で目的地が変更になった場合であっても、その場で現在地から変更後の目的地までの経路等を検索することが可能である。
【０００４】
【特許文献１】特開２００１−６３５７９号公報
【発明の開示】
【発明が解決しようとする課題】
【０００５】
しかしながら、観光旅行中の観光客のなかには、例えば、或る都市内の観光地を巡るという予定だけを立てて、どの観光地に行くかを決めずにその都市を訪れる観光客等、漠然とした予定だけを立てて具体的な目的地を決定していない観光客も多いが、これらのサービスを利用するためには、まず、パーソナルコンピュータや携帯電話機に目的地を入力しなければならない。
すなわち、このような観光客は、雑誌や、携帯電話機で観光地の情報が取得可能なウェブサイト等を利用して訪れたい観光地を探し出し、目的地として入力する必要がある。
ところが、雑誌や、携帯電話機で観光地の情報が取得可能なウェブサイト等で訪れたい観光地を探し出し、目的地として決定したとしても、その後、乗り換え案内を利用して経路等を検索した結果、その目的地が現在地から訪れるのに適した距離範囲内にない等のときには、訪れたい他の観光地を再び探し出さなければならず、このような繰り返しを観光旅行中に行うことは煩雑であるといった問題がある。
特に、雑誌やウェブサイト等においては、これらのメディアが極力多くの利用者に利用されるようにするために、通常、広く一般の利用者が利用し易いように編集された汎用性の高い観光地の情報が、数多く掲載されているため、上述したような手法では、結局、訪れるのに適当な観光地を探し出すことができないこともあり、充分に観光を楽しめない可能性があるといった問題がある。
【０００６】
本発明は、上述した課題に鑑みてなされたものであり、その目的は、訪れるのに適当な観光地を探し出し、その観光地までの経路を容易に知ることができ、利用者が充分に観光を楽しむことが可能となる観光経路案内システムを提供することにある。
【課題を解決するための手段】
【０００７】
以上のような目的を達成するために、本発明は、以下のようなものを提供する。
（１）少なくとも観光地の位置を示す観光地情報を複数記憶する記憶手段と、
利用者が所持する携帯端末機の現在地を示す現在地情報を、該携帯端末機から受信する現在地情報受信手段と、
上記現在地情報受信手段が受信した現在地情報に基づいて、上記記憶手段に記憶された複数の観光地情報のなかから、上記携帯端末機の現在地との関係が所定の条件を満たす候補地としての観光地を選択する選択手段と、
上記選択手段により選択された観光地の観光地情報を、上記携帯端末機に送信する観光地情報送信手段と、
上記観光地情報送信手段から観光地情報を受信した携帯端末機に対して、利用者の操作によって、該観光地情報が示す候補地としての観光地のなかから、目的地を選択する旨の指示が入力された際に該携帯端末機が送信する目的地情報を、該携帯端末機から受信する目的地情報受信手段と、
上記目的地情報受信手段が目的地情報を受信した際、該目的地情報に応じた観光地情報と上記現在地情報受信手段が受信した現在地情報とに基づいて、現在地から目的地としての観光地までの経路を決定する経路決定手段と、
上記経路決定手段により決定された経路を示す経路情報を、上記携帯端末機に送信する経路情報送信手段と
を備えたことを特徴とする観光経路案内システム。
【０００８】
（１）の発明によれば、利用者が所持する携帯端末機の現在地を示す現在地情報に基づいて、複数の少なくとも観光地の位置を示す観光地情報のなかから、現在地との関係が所定の条件（例えば、現在地からの距離が所定の距離以内であること、現在地から移動するために必要な時間が１時間以内であること等）を満たす候補地としての観光地が選択され、選択された観光地の観光地情報が利用者の携帯端末機に送信される。
このようにして利用者の携帯端末機に送信された観光地情報は、現在地との関係が所定の条件を満たした観光地情報であり、利用者が訪れるのに適当な観光地の観光地情報であるため、利用者は、送信された観光地情報のなかから訪れたい観光地を探し出して選択することができる。
また、（１）の発明によれば、利用者の操作によって、候補地としての観光地のなかから選択されて送信された目的地情報に応じた観光地情報と、現在地情報とに基づいて、現在地から目的地としての観光地までの経路を示す経路情報が利用者の携帯端末機に送信される。このように、利用者が目的地情報を送信すると、現在地から目的地としての観光地までの経路情報が利用者の携帯端末機に送信されるため、利用者は、現在地から観光地までの経路を簡便な操作で容易に知ることができる。
このように、（１）の発明によれば、訪れるのに適当な観光地を探し出すことができ、その観光地までの経路を簡便な操作で容易に知ることができるため、利用者は充分に観光を楽しむことが可能となる。
【０００９】
さらに、本発明は、以下のようなものを提供する。
（２）  上記（１）の観光経路案内システムであって、
上記選択手段は、上記現在地情報受信手段が受信した現在地情報に基づいて、上記記憶手段に記憶された複数の観光地情報のなかから、上記携帯端末機の現在地から所定範囲内にある観光地を選択することを特徴とする。
【００１０】
（２）の発明によれば、利用者の現在地から所定範囲内にある観光地が、候補地としての観光地として選択され、選択された観光地の観光地情報が利用者の携帯端末機に送信される。従って、利用者は、現在地から所定範囲内にあり、訪れるのに適当な観光地のなかから、利用者が訪れたい観光地を探し出すことができる。
【００１１】
さらに、本発明は、以下のようなものを提供する。
（３）  上記（１）又は（２）の観光経路案内システムであって、
上記観光地情報送信手段から観光地情報を受信した携帯端末機に対して、利用者の操作によって、候補地を変更するための検索条件が入力された際に、該携帯端末機が送信する検索条件情報を、該携帯端末機から受信する検索条件情報受信手段を備え、
上記選択手段は、上記携帯端末機から検索条件情報を受信したとき、上記現在地情報受信手段が受信した現在地情報に基づいて、上記記憶手段に記憶された複数の観光地情報のなかから、上記携帯端末機の現在地との関係が上記検索条件を満たす候補地としての観光地を選択することを特徴とする。
【００１２】
（３）の発明によれば、観光地情報を受信し、利用者の操作によって、候補地を変更するための検索条件が入力された際に携帯端末機から送信される検索条件情報を受信したとき、現在地情報に基づいて、複数の観光地情報のなかから、現在地との関係が検索条件を満たす候補地としての観光地を選択する。すなわち、利用者は、観光地情報を受信した際、候補地を変更するための検索条件を入力すると、現在地との関係が検索条件を満たす候補地としての観光地の観光地情報が利用者の携帯端末機に送信される。従って、利用者は、利用者の目的に応じた検索条件を入力して候補地を再検索することができるため、利用者が訪れたい観光地を探し出すことができる。
【発明の効果】
【００１３】
本発明の観光経路案内システムによれば、訪れるのに適当な観光地を探し出し、その観光地までの経路を容易に知ることができ、利用者が充分に観光を楽しむことが可能となる。
【発明を実施するための最良の形態】
【００１４】
図１は、本実施形態に係る観光経路案内システムの一例を示すネットワーク構成図である。
観光経路案内システム１は、経路情報データベース１１と、地図情報データベース１２と、観光地情報データベース１３と、これらのデータベースが接続されたサーバ１０とから構成されている。
また、サーバ１０、タクシー配車センター２０、観光地管理施設端末機３０、携帯電話機１００は、インターネット４０を介して有線又は無線により相互にデータの送受信を行うことが可能である。
【００１５】
サーバ１０には、経路情報データベース１１と、地図情報データベース１２と、観光地情報データベース１３が接続されている。サーバ１０は、予め記憶されている所定のプログラムに従って、携帯電話機１００から受信した情報（例えば、現在地情報、目的地情報、検索条件情報等）に応じてデータベースを参照し、種々の処理を行う。
【００１６】
経路情報データベース１１には、交通機関名、路線名、駅名、駅の位置（緯度、経度、高度）、時刻表、乗り継ぎに関する情報（例えば、異なる路線に乗り継ぎが行える駅や、乗り継ぎに必要な所要時間等）等が記憶されている。
【００１７】
地図情報データベース１２には、道路網、建築物の位置（緯度、経度、高度）等が記憶されている。
【００１８】
記憶手段としての観光地情報データベース１３には、観光地名、住所、観光地の位置（緯度、経度、高度）、最寄り駅名、付加情報（例えば、当該観光地に関する豆知識、当該観光地の見どころ、当該観光地近郊で利用できる割引クーポン、現在の混雑状況等）等の観光地に関する項目が観光地情報として記憶される。
観光地情報データベース１３に記憶される観光地情報は、随時更新・登録可能であり、観光地の管理者は、インターネット４０を介して観光地施設端末機３０等から観光地情報を更新・登録することができる。
【００１９】
タクシー配車センター２０では、各タクシーの位置を随時更新記憶するデータベースを備えている。タクシー配車センター２０は、サーバ１０から受信した配車要求に基づいて、配車要求がされている位置からの距離が最短である位置を走行中のタクシーに対して配車要求を通知する。タクシー配車センター２０は、配車を完了すると、受け付け番号及び到着までの時刻をサーバ１０に送信する。
【００２０】
利用者は、携帯電話機１００を操作して、ＧＰＳ衛星５０から受信した現在地（緯度、経度、高度）を示す現在地情報をサーバ１０に送信することにより、候補地としての観光地の観光地情報をサーバ１０から取得することができ、さらに、候補地のなかから目的地を選択することにより目的地までの経路を取得することができる。
【００２１】
携帯電話機１００は、本発明に係る携帯端末機に相当するものである。なお、本発明に係る携帯端末機は、現在地情報を取得可能であり、サーバと通信回線を介してデータの送受信を行うことが可能であれば、特に限定されるものではなく、例えば、パーソナル・ディジタル・アシスタンツ、上記観光経路案内システムの専用の携帯端末機等を挙げることができる。
【００２２】
図２は、図１に示した携帯電話機の内部構成を示すブロック図である。
携帯端末機１００は、操作部１０４、液晶パネル１０６、無線部１１０、音声回路１１２、スピーカ１１４、マイク１１６、送受信アンテナ１１８、不揮発性メモリ１２０、マイクロコンピュータ１２２、二次電池１２４、ＧＰＳ受信部１２６及びＧＰＳアンテナ１２８を備えている。
【００２３】
無線部１１０は、マイクロコンピュータ１２２により制御されて、送受信アンテナ１１８を通じて電波を媒体として基地局に対して送受信する。音声回路１１２は、無線部１１０からマイクロコンピュータ１２２を通じて出力された受信信号をスピーカ１１４に出力するとともに、マイク１１６から出力された音声信号を送信信号としてマイクロコンピュータ１２２を通じて無線部１１０に出力する。
【００２４】
スピーカ１１４は、音声回路１１２から出力された受信信号を受信音声に変換して出力し、マイク１１６は、操作者から発せられた送信音声を音声信号に変換して音声回路１１２に出力する。
【００２５】
不揮発性メモリ１２０は、例えば、サーバ１０から送信された観光地情報、経路情報等の各種データや各種プログラムを不揮発的に記憶する。
二次電池１２４は、各回路に電力を供給する。マイクロコンピュータ１２２は、ＣＰＵ、ＲＯＭ及びＲＡＭから構成されたもので、例えば、電話の発着信処理、電子メールの作成送受信処理、インターネット処理等を行う。なお、電子メールの送受信及びインターネットによるデータの送受信は、マイクロコンピュータ１２２が無線部１１０及び送受信アンテナ１１８を介して行う。
【００２６】
ＧＰＳ受信部１２６は、ＧＰＳアンテナ１２８を介してＧＰＳ衛星５０から携帯電話機１００の現在位置（緯度、経度、高度）を示す現在地情報を受信する。
マイクロコンピュータ１２２は、操作部１０４から観光案内を開始する入力があると、ＧＰＳ受信部１２６を駆動し、現在地情報をメモリ１２０に順次記憶させる。
【００２７】
図３は、本発明の観光経路案内システムにおいて実行される経路案内処理を行うサブルーチンを示すフローチャートである。
【００２８】
携帯電話機１００において、携帯電話機１００が備える操作部１０４が利用者により操作され、観光地案内を開始する旨の入力が行われると（ステップＳ１００：ＹＥＳ）、マイクロコンピュータ１２２は、ＧＰＳ受信部１２６を駆動して、現在地情報をＧＰＳ衛星５０から取得し（ステップＳ１０１）、さらに現在地情報をサーバ１０に送信する（ステップＳ１０２）。
【００２９】
サーバ１０は、現在地情報を受信すると（ステップＳ２００）、観光する候補地としての観光地を選択する（ステップＳ２０１）。この処理において、サーバ１０は、観光地情報データベース１３を参照し、観光地の位置（緯度、経度、高度）に基づいて、受信した現在地情報が示す携帯電話機１００の現在地からの距離が半径２ｋｍ以内にある観光地を選択する。ステップＳ２０１の処理において、サーバ１０は、携帯電話機１００から現在地情報を受信する現在地情報受信手段として機能し、ステップＳ２０２の処理において、サーバ１０は、候補地としての観光地を選択する選択手段として機能する。
【００３０】
次に、サーバ１０は、候補地として選択された観光地の観光地情報を携帯電話機１００に送信する（ステップＳ２０２）。本実施形態においては、観光地情報の一部である観光地名を送信することとして説明するが、観光地情報のすべて又はその他の一部が送信されることとしてもよい。ステップＳ２０２の処理において、サーバ１０は、候補地として選択された観光地の観光地情報を携帯電話機１００に送信する観光地情報送信手段として機能する。
【００３１】
携帯電話機１００は、サーバ１０からこの観光地情報を受信する（ステップＳ１０３）。
図４は、受信した観光地情報に基づいて携帯電話機１００の液晶パネル１０６に表示される画面画像を示す図である。
図４では、サーバ１０が候補地として選択した（ステップＳ２０１参照）観光地である「１．○○寺」、「２．△△神社」、「３．××公園」という観光地名が表示されていて、さらに、その下には、候補地を再検索するための「４．再検索」という文字が表示されている。これらの文字には、ハイパーリンクが設定されていて、利用者は、何れか１のハイパーリンクを選択することができる。
また、各観光地名の右側に表示されている「情報」という文字にもハイパーリンクが設定されていて、このハイパーリンクを選択すると当該観光地の付加情報（例えば、当該観光地に関する豆知識）を表示させることが可能である（図５参照）。
【００３２】
ステップＳ１０４において、携帯電話機１００は、利用者による目的地の選択入力、又は、候補地を変更するための検索条件の入力を受け付ける。
【００３３】
ステップＳ１０４において目的地の選択入力があった場合、ステップＳ１０５において、携帯電話機１００は、選択された目的地を示す目的地情報をサーバ１０に送信する。
すなわち、図４に示す「１．○○寺」、「２．△△神社」、「３．××公園」の何れかの観光地が目的地として選択された場合には、携帯電話機１００のマイクロコンピュータ１２２は、選択された目的地を示す目的地情報をサーバ１０に送信する。
目的地情報とは、候補地のなかから選択された目的地としての観光地を示す情報である。
【００３４】
一方、候補地を変更するための検索条件の入力があった場合、ステップＳ１０５において、携帯電話機１００は、入力された検索条件を示す検索条件情報をサーバ１０に送信する。
すなわち、図４に示す「４．再検索」が選択された場合には、図６に示すような、「１．半径１ｋｍ以内」、「２．半径５ｋｍ以内」、「３．半径１０ｋｍ以内」といった検索条件を入力するための選択肢（ハイパーリンクが設定された文字）が表示されるのであるが、利用者が何れかの検索条件を選択して入力すると、携帯電話機１００のマイクロコンピュータ１２２は、選択された検索条件を示す検索条件情報をサーバ１０に送信する。
検索条件情報とは、候補地を変更するための検索条件を示す情報である。
【００３５】
サーバ１０は、目的地情報又は検索条件情報を受信する（ステップＳ２０３）。すなわち、携帯電話機１００から目的地情報が送信された場合には、該目的地情報を受信する一方、検索条件情報が送信された場合には、該検索条件情報を受信する。このとき、サーバ１０が目的地情報を受信した場合は、受信した時刻をサーバ１０が備える内蔵時計（図示せず）から取得する。
ステップＳ２０３において、サーバは、携帯電話機１００から目的地情報を受信する目的地情報受信手段として機能するとともに、携帯電話機１００から検索条件情報を受信する検索条件情報受信手段きとして機能する。
【００３６】
次に、サーバ１０は、検索条件情報を受信したか否かを判断する（ステップＳ２０４）。この処理において、検索条件情報を受信していたと判断した場合（ステップＳ２０４：ＹＥＳ）、処理をステップＳ２０１に戻す。そして、ステップＳ２０１においては、この検索条件情報に基づいて再度候補地としての観光地が選択されることになる。
すなわち、例えば、検索条件情報が「半径１０ｋｍ以内」といった検索条件であれば、サーバ１０は、観光地情報データベース１３を参照し、受信した現在地情報が示す携帯電話機１００の現在地からの距離が半径１０ｋｍ以内にある観光地を選択することになる。
一方、検索条件情報を受信していないと判断した場合（ステップＳ２０４：ＮＯ）、処理をステップＳ２０５に移す。
【００３７】
ステップＳ２０５において、サーバ１０は、目的地までの経路を決定する。
この処理において、サーバ１０は、地図情報データベース１２を参照し、受信した現在地情報（ステップＳ２００参照）が示す現在位置に基づいて、現在地から最寄りにある駅を検索し、最寄り駅までの経路及び移動に要する時間を算出する。
次に、地図情報データベース１２を参照し、受信した目的地情報（ステップＳ２０３参照）に応じた観光地情報が示す目的地の最寄りにある駅を検索し、目的地から当該駅までの経路及び移動に要する時間を算出する。
次に、経路情報データベース１１に記憶されている時刻表を参照し、目的地情報を受信した（ステップＳ２０３参照）時刻に基づいて、現在地の最寄り駅から目的地の最寄り駅までの経路（乗り換えを含む路線）、所要時間及び運賃を算出する。
そして、得られたこれらの経路、所要時間、運賃を合算し、現在地から目的地までの候補となる経路情報としてサーバ１０の一時記憶手段（例えば、ＲＡＭ等）に記憶する。
最寄り駅が複数ある場合（例えば、半径１ｋｍ以内に複数の駅がある場合）には、この処理を夫々の駅に対して行い、得られた経路、所要時間、運賃を、候補となる経路情報としてサーバ１０の一時記憶手段に記憶する。
また、サーバ１０は、地図情報データベース１２を参照し、目的地の位置と現在位置とに基づいてその距離を割り出し、現在地から目的地までタクシーを利用した場合の目安となる所要時間及び運賃を算出し、候補となる経路情報としてサーバ１０の一時記憶手段に記憶する。
また、この経路情報には、現在地から目的地としての観光地までの地図データや、目的地情報を受信した（ステップＳ２０３参照）時刻と経路情報データベース１１に記憶されている時刻表とに基づいて算出された、次の電車が発車するまでの時刻を示す時刻データ等が含まれている。
経路情報とは、現在地から目的地としての観光地までの経路に関する情報をいい、現在地から目的地までの経路（目的地までの順路）、所要時間、交通機関の運賃、現在地から目的地までの地図データ、次の交通機関（例えば、電車等）が発車するまでの時刻を示す時刻データ等を含む情報である。
ステップＳ２０５の処理において、サーバ１０は、現在地から目的地としての観光地までの経路を決定する経路決定手段として機能する。
【００３８】
次に、サーバ１０は、決定した複数の経路のうち、どの交通機関を利用する経路を利用するかを選択するための交通機関選択情報を携帯電話機１００に送信する（ステップＳ２０６）。
【００３９】
携帯電話機１００は、交通機関選択情報をサーバ１０から受信する（ステップＳ１０６）。
図７は、受信した交通機関選択情報に基づいて携帯電話機１００の液晶パネルに表示される画面を示す図である。
図７では、サーバ１０が決定した経路（ステップＳ２０５参照）に基づいた交通機関名と最寄りの駅名が表示されている。これらの文字には、ハイパーリンクが設定されていて、利用者は、何れか１のハイパーリンクを選択することができる。
また、各交通機関名の下側には、目的地までの所要時間、当該交通機関を利用した場合の運賃、最寄り駅までの距離が表示されている。
【００４０】
ステップＳ１０７において、携帯電話機１００は、利用者による交通機関の選択入力を受け付ける。
【００４１】
ステップＳ１０７において交通機関の選択入力があると、携帯電話機１００は、選択された交通機関に係る経路情報を要求する要求情報をサーバ１０に送信する（ステップＳ１０８）。
すなわち、図７に示す「１．Ａ鉄道（Ｂ駅）」、「２．Ｃバス（Ｄバス停）」、「３．タクシー」の何れかの交通機関が選択された場合には、携帯電話機１００のマイクロコンピュータ１２２は、選択された交通機関に係る経路情報を要求する要求情報をサーバ１０に送信する。
【００４２】
サーバ１０は、要求情報を携帯電話機１００から受信すると（ステップＳ２０７）、受信した要求情報に応じた経路情報を携帯電話機１００に送信する（ステップＳ２０８）。とくにステップＳ２０７において、「３．タクシー」に係る経路情報を要求する要求情報を受信した場合には、サーバ１０は、タクシー配車センター２０に対して現在地情報（ステップＳ２００参照）が示す場所にタクシーの配車要求を行い、受け付け番号及び到着までの時刻をタクシー配車センター２０から受信した後、これらを経路情報として携帯電話機１００に送信する。
ステップＳ２０８の処理において、サーバ１０は、経路情報を、携帯電話機１００に送信する経路情報送信手段として機能する。
【００４３】
携帯電話機１００は、サーバ１０から経路情報を受信する（ステップＳ１０９）。
例えば、ステップＳ１０７において図７に示す「１．Ａ鉄道（Ｂ駅）」のように公共交通機関が選択された場合には、携帯電話機１００の液晶パネル１０６には、図８に示すように、最寄り駅までの地図又は目的地までの地図を表示させる選択入力を受け付ける画面が表示され、例えば、「１．最寄り駅までの地図」が選択された場合には、図９に示すように、現在地を示す星印とＢ駅とを示す地図が経路情報として液晶パネル１０６に表示される。さらにその下側には、目的地情報を受信した（ステップＳ２０３）時刻と経路情報データベース１１に記憶されている時刻表とに基づいて算出された、次の電車が発車するまでの時刻を示す経路情報としての「発車まで、あと５分です。」という文字が表示される。
このように、ステップＳ１０７において交通機関として公共交通機関が選択された場合には、経路情報として地図データや次の電車が発車するまでの時刻データが送信される。
【００４４】
一方、例えば、ステップＳ１０７において図７に示す「３．タクシー」が選択された場合には、携帯電話機１００の液晶パネル１０６には、例えば、図１０に示すように、経路情報として受け付け番号及び到着までの時刻が表示される。
このように、ステップＳ１０７において交通機関としてタクシーが選択された場合には、経路情報として受け付け番号及び到着までの時刻データが送信される。
【００４５】
本実施形態においては、経路情報として地図データや次の電車が発車するまでの時刻データ、又は、タクシーの受け付け番号及び到着までの時刻データが携帯電話機１００に送信される場合について説明したが、本発明において携帯電話機１００に送信される経路情報は、経路に関する情報であればどのような情報であってもよい。
【００４６】
以上、本実施形態に係る観光経路案内システムによれば、利用者が所持する携帯電話機１００の現在地を示す現在地情報に基づいて、複数の少なくとも観光地の位置を示す観光地情報のなかから、現在地からの距離が２ｋｍ以内である観光地が候補地として選択され、選択された観光地の観光地情報が利用者の携帯電話機１００に送信される。
このようにして利用者の携帯電話機１００に送信された観光地情報は、現在地からの距離が２ｋｍ以内である観光地の観光地情報であり、利用者が訪れるのに適当な観光地の観光地情報であるため、利用者は、送信された観光地情報のなかから訪れたい観光地を探し出して選択することができる。
また、利用者の操作によって、候補地としての観光地のなかから選択されて送信された目的地情報に応じた観光地情報と、現在地情報とに基づいて、現在地から目的地としての観光地までの経路を示す経路情報が利用者の携帯電話機１００に送信される。このように、利用者が目的地情報を送信すると、現在地から目的地としての観光地までの経路情報が利用者の携帯電話機１００に送信されるため、利用者は、現在地から観光地までの経路を簡便な操作で容易に知ることができる。
このように、本実施形態に係る観光経路案内システムによれば、訪れるのに適当な観光地を探し出すことができ、その観光地までの経路を簡便な操作で容易に知ることができるため、利用者は充分に観光を楽しむことが可能となる。
【００４７】
また、本実施形態に係る観光経路案内システムによれば、観光地情報を受信し、利用者の操作によって、候補地を変更するための検索条件が入力された際に携帯電話機１００から送信される検索条件情報を受信したとき、現在地情報に基づいて、複数の観光地情報のなかから、現在地との関係が検索条件を満たす候補地としての観光地を選択する。すなわち、利用者は、観光地情報を受信した際、候補地を変更するための検索条件を入力すると、現在地との関係が検索条件を満たす候補地としての観光地の観光地情報が利用者の携帯電話機１００に送信される。従って、利用者は、利用者の目的に応じた検索条件を入力して候補地を再検索することができるため、利用者が訪れたい観光地を探し出すことができる。
【００４８】
本実施形態においては、現在地からの距離が半径２ｋｍ以内にある観光地を候補地として選択する場合について説明したが、本発明における所定の条件は、この例に限定されず、同一市町村内であること、現在地から移動するために必要な時間が所定時間以内（例えば、１時間以内）であること等であってもよい。
現在地から移動するために必要な時間が所定時間以内である候補地を選択する場合、現在地から最寄り駅までの移動時間、最寄り駅での交通機関の待ち時間、最寄り駅から利用する交通機関での移動時間、候補地となる観光地から当該観光地の最寄り駅までの移動時間等を合算することにより、所定時間以内である候補地を選択することが可能である。
【００４９】
また、本実施形態においては、候補地を変更する際、検索条件を入力するための選択肢のなかから選択する場合について説明したが、本発明における検索条件の入力方法は、この例に限定されず、例えば、距離、時間、キーワード等を直接入力することとしてもよい。
【００５０】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００５１】
【図１】本実施形態に係る観光経路案内システムの一例を示すネットワーク構成図である。
【図２】図１に示した携帯電話機の内部構成を示すブロック図である。
【図３】本発明の観光経路案内システムにおいて実行される経路案内処理を行うサブルーチンを示すフローチャートである。
【図４】携帯電話機の液晶パネルに表示される画面画像を示す図である。
【図５】携帯電話機の液晶パネルに表示される画面画像を示す図である。
【図６】携帯電話機の液晶パネルに表示される画面画像を示す図である。
【図７】携帯電話機の液晶パネルに表示される画面画像を示す図である。
【図８】携帯電話機の液晶パネルに表示される画面画像を示す図である。
【図９】携帯電話機の液晶パネルに表示される画面画像を示す図である。
【図１０】携帯電話機の液晶パネルに表示される画面画像を示す図である。
【符号の説明】
【００５２】
１  観光経路案内システム
１０  サーバ
１１  経路情報データベース
１２  地図情報データベース
１３  観光地情報データベース
２０  タクシー配車センター
３０  観光地管理施設端末機
４０  インターネット
５０  衛星
１００  携帯電話機
【図１】
2006292550.tif 000003
【図２】
2006292550.tif 000004
【図３】
2006292550.tif 000005
【図４】
2006292550.tif 000006
【図５】
2006292550.tif 000007
【図６】
2006292550.tif 000008
【図７】
2006292550.tif 000009
【図８】
2006292550.tif 000010
【図９】
2006292550.tif 000011
【図１０】
2006292550.tif 000012